(57)【特許請求の範囲】
【請求項１】
通常のテレビジョン放送データと、通常のテレビジョン放送データとして送信されるよりも速い速度で送信される高速テレビジョン放送データとをそれぞれ受信可能なテレビジョン放送処理装置であって、
送信装置から送信されるテレビジョン放送データを受信する受信手段と、
ユーザによって選択されたチャンネルを選局する選局手段と、
前記選局手段によって選局されたチャンネルのテレビジョン放送データであって、前記受信手段で受信されたテレビジョン放送データを取得し、当該チャンネルのテレビジョン放送データが、前記高速テレビジョン放送データであるか、それとも前記通常のテレビジョン放送データであるかを当該テレビジョン放送データに含まれる識別情報に基づいて判定する判定手段と、
前記判定手段による判定の結果、前記受信されたテレビジョン放送データが、高速テレビジョン放送データである場合には、当該高速テレビジョン放送データを記憶部に保存して、当該記憶部に保存された高速テレビジョン放送データを所望の速度で読み出して復号する制御を行い、前記受信されたテレビジョン放送データが、通常のテレビジョン放送データである場合には、当該通常のテレビジョン放送データを前記記憶部に保存せずに表示部に出力する制御を行う制御手段と、
を有することを特徴とするテレビジョン放送処理装置。
【請求項２】
前記識別情報は、テレビジョン放送データに含まれる番組サービス情報として前記テレビジョン放送データに付加された情報であり、
前記判定手段は、前記選局手段で選局されたチャンネルのテレビジョン放送データであって、前記受信手段で受信されたテレビジョン放送データに付加された番組サービス情報を取得し、当該番組サービス情報に基づいて判定を行うことを特徴とする請求項１に記載のテレビジョン放送処理装置。
【請求項３】
通常のテレビジョン放送データと、通常のテレビジョン放送データとして送信されるよりも速い速度で送信される高速テレビジョン放送データとをそれぞれ受信可能なテレビジョン放送処理装置の制御方法であって、
送信装置から送信されるテレビジョン放送データを受信する受信ステップと、
ユーザによって選択されたチャンネルを選局する選局ステップと、
前記選局ステップによって選局されたチャンネルのテレビジョン放送データであって、前記受信ステップで受信されたテレビジョン放送データを取得し、当該チャンネルのテレビジョン放送データが、前記高速テレビジョン放送データであるか、それとも前記通常のテレビジョン放送データであるかを当該テレビジョン放送データに含まれる識別情報に基づいて判定する判定ステップと、
前記判定ステップでの判定の結果、前記受信されたテレビジョン放送データが、高速テレビジョン放送データである場合には、当該高速テレビジョン放送データを記憶部に保存して、当該記憶部に保存された高速テレビジョン放送データを所望の速度で読み出して復号する制御を行い、前記受信されたテレビジョン放送データが、通常のテレビジョン放送データである場合には、当該通常のテレビジョン放送データを前記記憶部に保存せずに表示部に出力する制御を行う制御ステップと、
を有することを特徴とするテレビジョン放送処理装置の制御方法。
【請求項４】
前記識別情報は、テレビジョン放送データに含まれる番組サービス情報として前記テレビジョン放送データに付加された情報であり、
前記判定ステップでは、前記選局ステップで選局されたチャンネルのテレビジョン放送データであって、前記受信ステップで受信されたテレビジョン放送データに付加された番組サービス情報を取得し、当該番組サービス情報に基づいて判定を行うことを特徴とする請求項３に記載のテレビジョン放送処理装置の制御方法。
【発明の詳細な説明】
【０００１】
【発明の属する技術分野】
本発明は、テレビジョン放送処理装置及びテレビジョン放送処理装置の制御方法に関し、例えば、テレビジョン放送を受信して蓄積し（録画）、これを再生するために用いて好適なものである。
【０００２】
【従来の技術】
近年では、ディジタル技術の進展に伴い、テレビジョン放送方式についても、これまでのアナログ方式であるＮＴＳＣ方式や、ＰＡＬ方式、或いはＳＥＣＡＭ方式から、ディジタル方式に移行しつつある。
例えば、米国や欧州では、既に地上波ディジタル放送が開始されており、日本においても、２０００年１２月からＢＳディジタル放送が開始され、２００３年からは、地上波ディジタル放送が開始される予定になっている。
【０００３】
また、上述のようなテレビジョン放送のディジタル化に伴い、その受信側の録画装置についても、これまでのアナログビデオテープレコーダーから、ディジタルビデオテープレコーダー等に移行しつつある。
【０００４】
また、これまで主にコンピュータ用の蓄積手段として用いられてきたハードディスクを、テレビジョン放送データを記録（録画）するための蓄積手段として用いる方式や装置或いはシステム等が提案されている。
例えば、特開平７−２６４５２９号等には、ビデオテープレコーダーにおいて、シーケンシャルレコーディングを行う記録媒体の換わりに、ランダムアクセス可能な半導体メモリ又はディスク等を用いることで、ある番組のテレビジョン放送データの記録（録画）中に、所望するタイミングで録画番組の再生を開始するタイムシフトや、番組録画がある程度進んだ段階で、録画番組を最初から現在録画中の位置まで早送り再生する遅延再生等の特殊再生を可能とする装置が開示されている。
【０００５】
【発明が解決しようとする課題】
しかしながら、上述したような再生機能を有する従来のテレビジョン放送の処理装置では、実際の番組放送のペースを超えて再生することはできなかった。
このため、例えば、深夜１１時３０分から２時間に渡り、その日に開催された自動車レースの番組が放送される場合、当該番組のテレビジョン放送データを受信して録画しながら、これを早送り再生することで、当該番組を３０分で観終わる、ということは不可能であった。
【０００６】
したがって、従来では、番組の編集に要する時間や、番組編成プランの制約等から、深夜の時間帯に放送される番組や、その結果のみを早く知りたい番組等の視聴、或いはユーザ（視聴者）が何らかの事情で早く見終わってしまいたい等のユーザからの要求を満たすことができなかった。
【０００７】
そこで、本発明は、通常の速度で送信されたテレビジョン放送データと、当該通常の速度よりも高速で送信されたテレビジョン放送データとを、可及的に適切に処理できるようにすることを目的とする。
【０００９】
【課題を解決するための手段】
斯かる目的下において、本発明のテレビジョン放送処理装置は、通常のテレビジョン放送データと、通常のテレビジョン放送データとして送信されるよりも速い速度で送信される高速テレビジョン放送データとをそれぞれ受信可能なテレビジョン放送処理装置であって、送信装置から送信されるテレビジョン放送データを受信する受信手段と、ユーザによって選択されたチャンネルを選局する選局手段と、前記選局手段によって選局されたチャンネルのテレビジョン放送データであって、前記受信手段で受信されたテレビジョン放送データを取得し、当該チャンネルのテレビジョン放送データが、前記高速テレビジョン放送データであるか、それとも前記通常のテレビジョン放送データであるかを当該テレビジョン放送データに含まれる識別情報に基づいて判定する判定手段と、前記判定手段による判定の結果、前記受信されたテレビジョン放送データが、高速テレビジョン放送データである場合には、当該高速テレビジョン放送データを記憶部に保存して、当該記憶部に保存された高速テレビジョン放送データを所望の速度で読み出して復号する制御を行い、前記受信されたテレビジョン放送データが、通常のテレビジョン放送データである場合には、当該通常のテレビジョン放送データを前記記憶部に保存せずに表示部に出力する制御を行う制御手段と、を有することを特徴とする。
【００１０】
本発明のテレビジョン放送処理装置の制御方法は、通常のテレビジョン放送データと、通常のテレビジョン放送データとして送信されるよりも速い速度で送信される高速テレビジョン放送データとをそれぞれ受信可能なテレビジョン放送処理装置の制御方法であって、送信装置から送信されるテレビジョン放送データを受信する受信ステップと、ユーザによって選択されたチャンネルを選局する選局ステップと、前記選局ステップによって選局されたチャンネルのテレビジョン放送データであって、前記受信ステップで受信されたテレビジョン放送データを取得し、当該チャンネルのテレビジョン放送データが、前記高速テレビジョン放送データであるか、それとも前記通常のテレビジョン放送データであるかを当該テレビジョン放送データに含まれる識別情報に基づいて判定する判定ステップと、前記判定ステップでの判定の結果、前記受信されたテレビジョン放送データが、高速テレビジョン放送データである場合には、当該高速テレビジョン放送データを記憶部に保存して、当該記憶部に保存された高速テレビジョン放送データを所望の速度で読み出して復号する制御を行い、前記受信されたテレビジョン放送データが、通常のテレビジョン放送データである場合には、当該通常のテレビジョン放送データを前記記憶部に保存せずに表示部に出力する制御を行う制御ステップと、を有することを特徴とする。
【００３７】
【発明の実施の形態】
以下、本発明の実施の形態について図面を用いて説明する。
【００３８】
[第１の実施の形態]
本発明は、例えば、図１に示すようなテレビジョン放送送受信システム１００に適用される。
尚、上記図１において、実線はデータ線を表し、破線は制御線を表している。
【００３９】
＜テレビジョン放送送受信システム１００の全体構成＞
テレビジョン放送送受信システム１００は、上記図１に示すように、送信装置２００と受信装置３００を含む構成としている。
【００４０】
送信装置２００は、ＨＤ（高精細）放送用の信号とＳＤ（標準精細度）放送用の信号をそれぞれ２０Ｍｂｐｓと６Ｍｂｐｓ前後のビットレートに圧縮符号化し、これらの伝送用の帯域としてそれぞれ２４スロット、６スロット（１スロットは１．０８Ｍｂｐｓの伝送容量）が割り当てられていることから、ＨＤ放送用の帯域を使用して、ＳＤ放送用に符号化された特定のチャンネル或いは番組のテレビジョン放送信号をＮ（例えば、“４”）倍で高速送信する。
【００４１】
特に、送信装置２００は、テレビジョン放送信号に多重化されるＰＳＩ（番組サービス情報）に対して、特定の放送チャンネル若しくは番組が早送り再生可能であること（高速送信により早送り再生可能であること）をユーザ（視聴者）に知らしめることが可能な情報を付加し、符号化時のビットレートよりも広帯域のスロットを割り当てて高速に送信する。
【００４２】
一方、受信装置３００は、送信装置２００からのテレビジョン放送信号を受信して、そのＰＳＩから得られる情報から、受信したテレビジョン放送に含まれる特定の放送チャンネル若しくは番組が早送り再生可能であるか否かを判別し、この判別結果をユーザ（視聴者）に対して知らしめると共に、当該特定チャンネル若しくは番組をユーザが視聴するものとして選択した場合に、当該特定チャンネル若しくは番組のデータを、ランダムアクセス可能な記憶部３０６に格納しながら高速に再生する。
【００４３】
すなわち、本実施の形態では、送信装置２００は、高速送信する特定チャンネル若しくは番組に対応するＰＳＩ（番組サービス情報）に対して、当該特定チャンネル若しくは番組が高速送信されることを示す情報を付加して（盛り込んで）送信する。
受信装置３００は、送信装置２００から受信したテレビジョン放送信号をデマルチプレクスして取得したＰＳＩから、ユーザから選択されたチャンネル若しくは番組（特定チャンネル若しくは番組）が高速送信されたか否かを判断し、この判断結果に基づいて、当該特定チャンネル若しくは番組のデータを、ハードディスク等のランダムアクセス可能な記憶部３０６に記憶する。
【００４４】
尚、受信装置３００において、通常のテレビジョン放送のチャンネル若しくは番組の受信の場合、当該チャンネル若しくは番組のデータは、ハードディスク等の記憶部３０６には記憶させず、バッファ３０５へ一旦格納後、直ちに復号化して送信する。また、ＥＰＧ（電子プログラムガイド）等を構成する場合にも、ユーザ（視聴者）が通常のテレビジョン放送と区別できるようにする。
【００４５】
上述のような構成により、ユーザ（視聴者）は、送信装置２００から高速配信されたテレビジョン放送の番組を録画しながら、これを早送り再生して視聴することが可能となる。また、受信テレビジョン放送の番組のデータが、一旦ランダムアクセス可能な記憶部３０６に記憶されるため、ユーザ（視聴者）は、録画番組を早送りしながら視聴した後に、再度通常の速度で再生することも可能となる。
【００４６】
＜送信装置２００の構成及び動作＞
送信装置２００は、上記図１に示すように、符号化処理部２０１、データグループ化処理部２０２、パケット化処理部２０３、ＰＳＩパケット生成処理部２０４、マルチプレクサ処理部２０５、エラー訂正符号挿入処理部２０６、変調処理部２０７、及びアンテナ２０８を含んでいる。
【００４７】
送信装置２００において、まず、符号化処理部２０１、データグループ化処理部２０２、及びパケット化処理部２０３について、図２を用いて説明すると、符号化処理部２０２は、処理対象のビデオ信号（原映像信号）に対して、ＭＰＥＧ（Moving Picture Experts Group）−２に従った圧縮符号化処理を施し、例えば、ＳＤ（標準精細度）放送用であれば４〜６Ｍｂｐｓ程度の、ＨＤ（高精細度）放送用であれば１８〜２４Ｍｂｐｓ程度のビットレートの符号化データを生成する。
【００４８】
具体的には、上記図２（ａ）及び（ｂ）に示すように、符号化処理部２０１、符号化前の1フレーム単位の原映像信号２０ａ，２０ｂ，２０ｃ，・・・を、可変長のＥＳ（Ｅｌｅｍｅｎｔａｒｙ Ｓｔｒｅａｍ）２１ａ，２１ｂ，２１ｃ，・・・に符号化する。
【００４９】
尚、オーディオデータの符号化の場合、ＣＳ（通信衛星）ディジタル放送用であるのか、或いはＢＳ（放送衛星）ディジタル放送用であるかによって、それぞれ符号化方式が異なる。したがって、ＣＳ（通信衛星）ディジタル放送用の場合、オーディオデータをＭＰＥＧ−１Ｌａｙｅｒ−３方式に従って４８Ｋｂｐｓ程度のビットレートに符号化し、一方、ＢＳ（放送衛星）ディジタル放送用である場合、オーディオデータをＡＡＣ（Advanced Audio Coding）方式に従って４８Ｋｂｐｓ程度のビットレートに符号化する。
【００５０】
データグループ化処理部２０２は、上記図２（ｃ）に示すように、符号化処理部２０１により得られたＥＳ２１ａ，２１ｂ，２１ｃ，・・・を、可変長のＰＥＳ(Packetized Elementary Stream)２２ａ／２３ａ，２２ｂ／２３ｂ，２２ｃ／２３ｃ，・・・にパケット化する。
【００５１】
ＰＥＳ２２ａ／２３ａ，２２ｂ／２３ｂ，２２ｃ／２３ｃ，・・・を構成するパケット２２ｘ／２３ｘ（ｘ：ａ，ｂ，ｃ，・・・）はそれぞれ、ヘッダ２２ｘとペイロード２３ｘを含み、ヘッダ２２ｘには、ＰＴＳ（Presentation Time Stamp）等のコンポーネントの属性を示す情報が含まれる。
【００５２】
パケット化処理部２０３は、上記図２（ｄ）に示すように、データグループ化処理部２０２により得られたＰＥＳ２２ａ／２３ａ，２２ｂ／２３ｂ，２２ｃ／２３ｃ，・・・を、伝送用パケットであるＴＳ（Ｔｒａｎｓｐｏｒｔ Ｓｔｒｅａｍ）２４ａ／２５ａ，２４ｂ／２５ｂ，・・・に変換する。
【００５３】
ＴＳ２４ａ／２５ａ，２４ｂ／２５ｂ，・・・を構成するパケット２４ｘ／２５ｘ（ｘ：ａ，ｂ，ｃ，・・・）はそれぞれ、上記図２（ｄ）に示すように、１８８バイトの固定長のものであり、４バイトの固定長のヘッダ２４ｘと、ビデオデータやオーディオデータであるペイロード２５ｘとから構成される。
【００５４】
ヘッダ２４ｘは、上記図２（ｅ）に示すように、周期バイト２６、トランスポート誤りインディケータ２７、ペイロードユニットスタートインディケータ２８、トランスポート優先度２９、ＰＩＤ（パケットＩＤ）３０、トランスポートスクランブリング制御３１、アダプテーションフィールドコントロール３２、連続性カウンター３３、及び可変長のアダプテーションフィールド３４を含んでいる。
ヘッダ２４ｘにおいて、ＰＩＤ３０は、パケットの識別のための１３ビットの番号であり、ＴＳ２４ａ／２５ａ，２４ｂ／２５ｂ，・・・全体から必要なパケットを特定する際に用いられる。
【００５５】
ＰＳＩパケット生成処理部２０４は、以下に説明するようなＰＳＩをＴＳパケット化したものを、マルチプレクサ処理部２０５に対して出力する。
【００５６】
ＰＳＩは、番組配列情報に相当するものであり、例えば、図３に示すような各種テーブルが規定されている。
尚、ＰＳＩについては、「ＡＲＩＢ（電波産業界）ＳＴＤ−Ｂ１０  第２部  第５章」等に詳述されているため、ここではその詳細な説明は省略する。
【００５７】
ＰＳＩの信号は、セクションと呼ばれる信号構成に従って、ＴＳパケット中のペイロードに配置して伝送される。
【００５８】
ＰＳＩで規定されているテーブルのうち（上記図３参照）、ＰＡＴ（Program Association Table）は、番組配列に関連するＰＭＴ(Program Map Table)を伝送するＴＳパケットのＰＩＤ（Packet ID）を指定し、ＰＭＴは、放送番組を構成する各符号化データを伝送するＴＳパケットのＰＩＤを指定する。
【００５９】
また、ＮＩＴ（Ｎｅｔｗｏｒｋ  Ｉｎｆｏｍａｔｉｏｎ  Ｔａｂｌｅ）は、複数のＴＳを含むネットワークの情報を提供し、ネットワーク全体で行われている様々なサービス及び伝送路の緒元を示している。
【００６０】
図４は、ＮＩＴのデータ構造を示したものである。
上記図４では、ＮＩＴのセクションに対して、２つの記述子（ディスクリプタ）が存在し、これらのディスクリプタのうち、同図下線に示すディスクリプタ（記述子）は、サービスリスト記述子であり、サービス識別及びサービス形式種別によるサービスの一覧を提供する。
【００６１】
図５は、サービスリスト記述子の構造を示したものである。
上記図５におけるサービスＩＤは、ＴＳ内の情報サービスをユニークに識別し、また、対応するＰＭＴ内の放送番組番号識別（Program_number）に等しい。さらに、サービスタイプについては、例えば、図６に示すようなサービスの種類（ディジタルＴＶサービスやデータサービス等）を表す。
【００６２】
本実施の形態では、特定のチャンネル若しくは番組が早送り再生可能であることを示す情報をＰＳＩに盛り込むが、例えば、上述したＮＩＴのサービスリスト記述子内のサービスタイプとして新たなサービス（例えば、ディジタルＴＶサービスであり、且つ早送り再生可能なサービス）として、現在未定義となっている部分、若しくは事業者定義の部分に定義することを想定している。もちろん、当該特定のチャンネル若しくは番組が早送り再生可能であることを示す情報は、受信装置３００が、その格納場所を認識している（対応させている）限り、ＰＳＩの他の部分に盛りこんでもよい。例えば、ＥＩＴ（Event Information Table）の矩形イベント記述子の番組説明の部分に設定してもよいし、その他の任意の部分に設定することも可能である。
【００６３】
マルチプレクサ処理部２０５に対しては、上述のようにして、パケット化処理部２０３により得られたＴＳ（Ｔｒａｎｓｐｏｒｔ Ｓｔｒｅａｍ）２４ａ／２５ａ，２４ｂ／２５ｂ，・・・（上記図２（ｄ）参照、ＴＳパケット化されたビデオデータ及びオーディオデータ）、及びＰＳＩパケット生成処理部２０４により得られたＴＳ（ＰＳＩに対して、特定のチャンネル若しくは番組が早送り再生可能であることを示す情報が設定されたＴＳ）が供給される。
マルチプレクサ処理部２０５は、これらの供給されたＴＳをパケット多重する。
【００６４】
エラー訂正符号挿入処理部２０６は、マルチプレクサ処理部２０５により得られた多重化データに対して、エラー訂正用の符号を付加する。
変調処理部２０７は、エラー訂正符号挿入処理部２０６の処理後データを、アンテナ２０８を介した伝送路に対して適した方式に変調及び増幅した後、これをテレビジョン放送データとして、アンテナ２０８から送出する。
【００６５】
＜受信装置３００の構成及び動作＞
受信装置３００は、上記図１に示すように、アンテナ３０１、復調処理部３０２、エラー訂正処理部３０３、デマルチプレクサ処理部３０４、バッファ３０５、記憶部３０６、復号処理部３０７、リモートコントローラ（以下、単に「リモコン」と言う）３０８、及び制御処理部３０９を含んでいる。
【００６６】
受信装置３００において、まず、アンテナ３０１は、送信装置２００から送信されたテレビジョン放送を受信する。
このとき、制御処理部３０９は、アンテナ３０１で受信すべきチャンネルの情報（周波数やＴＳ_ＩＤ等）を取得し、この取得情報に基づき、チューナ（不図示）を介して、アンテナ３０１での受信周波数の切り替えを制御する。
【００６７】
復調処理部３０３は、アンテナ３０１で受信された目的とするチャンネルのデータを復調する。
エラー訂正処理部３０４は、復調処理部３０３による処理後のデータに対して、エラー訂正処理を施す。
【００６８】
デマルチプレクサ処理部３０４は、エラー訂正処理部３０４による処理後のデータ、すなわちビデオデータ、オーディオデータ、及びＰＳＩ等が多重化されたＴＳのデマルチプレックスを行う。
また、これと同時にデマルチプレクサ処理部３０４は、ユーザ（視聴者）が選択したチャンネル若しくは番組が早送り可能か否かの情報を、制御処理部３０９から取得し、この取得情報に基づいて、デマルチプレックス後のデータの出力先を記憶部３０６とバッファ３０５で切り替える。
【００６９】
上記図３に示したＰＩＤで指定される各種ＰＳＩセクションが、デマルチプレクサ処理部３０４によりフィルタリングされることで、ＥＰＧ（電子プログラムガイド）を構成するために必要な情報、及び本実施の形態に係る早送り再生可能なチャンネル若しくは番組を示す情報が取得され、これらの情報が制御処理部３０９に対して出力される。
【００７０】
したがって、通常の番組受信の場合、デマルチプレクサ処理部３０４により、当該番組のビデオデータ及びオーディオデータは、バッファ３０５に対して出力される。
復号化処理部３０７は、バッファ３０５へのデータ出力がなされると直ちに、当該データを復号して出力する。
【００７１】
一方、本実施の形態に係る早送り可能な番組受信の場合、デマルチプレクサ処理部３０４により、当該番組のビデオデータ及びオーディオデータは、ランダムアクセス可能な記憶部３０６に対して出力され保存される。
複号化処理部３０７は、制御処理部３０９からの制御に従って、記憶部３０６に保存されたデータを、所望のスピードで読み出して復号する。
【００７２】
ここで、複号化処理部３０７において実行される復号処理には、通常のスピードで実行される復号処理と、早送りのために復号対象のデータ信号を間引きながら実行する復号処理とがある。
後者のデータを間引きながら実行する復号処理の方法としては、例えば、対象データ（ビデオデータ）に含まれるＢ（双方向予測）ピクチャを復号しない方法等を適用可能であるが、他の任意の方法をも適用可能である。また、早送りのスピードがさらに高速の場合、例えば、その速度に合わせて、上記Ｂピクチャに加えてＰ（前方向予測）ピクチャ及びＩ（イントラ）ピクチャをも間引くようにしてもよい。
【００７３】
尚、復号化処理部３０７で実行する復号処理方法の切り替えは、制御処理部３０９により制御される。また、復号化処理部３０７は、受信装置２００の符号化処理部２０１で用いられた符号化方式に対応する処理（当該符号化方式に従った符号化処理と反対の処理）、すなわちビデオデータの復号であれば、可変長復号化、逆量子化、逆ＤＣＴ、及び動き補償等のような、ＭＰＥＧ−２に従った復号化処理を実行するものとする。また、送信装置２００から高速に送信されてきたチャンネル若しくは番組のデータは、受信装置３００において、ランダムアクセス可能な記憶部３０６に一旦保存されるため、ユーザ（視聴者）は、記憶部３０６内のデータ（録画データ）を早送りしながら再生した後、再度通常の速度で視聴することが可能である。
【００７４】
制御処理部３０９は、ユーザ（視聴者）からリモコン３０８を介してＥＰＧ表示要求を受けた場合、デマルチプレクサ処理部３０４から取得したＰＳＩ情報に基づいて、ＥＰＧ画面を構成し、このＥＰＧ画面と、復号化処理部３０７で得られたビデオ信号に従った画面とを切り替えて、表示部３１０で表示する。
ＥＰＧ画面の構成の際、制御処理部３０９は、詳細は後述する早送り再生可能なチャンネル若しくは番組であるか否かの判定結果により、早送り再生可能なチャンネル若しくは番組の場合、詳細は後述するが、通常番組と視聴者が区別できるようなＥＰＧ画面を構成する。
【００７５】
また、制御処理部３０９は、視聴者からチャンネル若しくは番組の選択要求を受けた場合、当該チャンネルを受信するために必要な情報（チャンネル周波数、ＴＳ_ＩＤ、ビデオのＰＩＤ、及びオーディオのＰＩＤ等の情報）を、チューナー部（不図示）に供給する。
このとき、例えば、チャンネル番号と、当該チャンネルを受信するために必要な情報とをテーブル化して保持しておき、ＰＡＴ及びＰＭＴの参照処理をスキップするように構成すれば、チャンネル切替を高速化することができる。
【００７６】
また、制御処理部３０９は、ユーザから選択されたチャンネル若しくは番組が、通常速度で再生するチャンネル若しくは番組であるか、或いは早送り再生可能なチャンネル若しくは番組であるかの判別結果に基づいて、上述したデマルチプレクサ処理部３０４を制御することで、ビデオデータ及びオーディオデータをバッファ３０５又は記憶部３０６に対して出力させ、さらに、復号化処理部３０７を制御することで、上述したような復号処理を実行せしめる。
【００７７】
すなわち、制御処理部３０９は、視聴者が早送り再生可能なチャンネル若しくは番組を選択した場合、例えば、視聴者が早送り要求をするまでは通常速度で復号して出力し、早送り要求を受け付けると、上述したような方法でデータを間引きながら復号して出力せしめる。
【００７８】
ここで、制御処理部３０９で実行される、通常番組と早送り可能番組の判定方法について具体的に説明する。
制御処理部３０９は、送信装置２００のＰＳＩパケット生成処理部２０４によりＰＳＩに対して設定された情報、すなわち上述したように、例えば、ＮＩＴのサービスリスト記述子内のサービスタイプ、若しくはＥＩＴの矩形イベント記述子の番組説明部分に反映された情報等の情報をチェックすることで、通常番組と早送り可能番組の判定を行なう。
【００７９】
また、早送り可能なチャンネル若しくは番組を、ＥＰＧ画面上で視聴者に知らしめるための構成例、及びこのときの番組プランの一例について、図７を用いて説明する。
【００８０】
例えば、１００チャンネル及び１０１チャンネルは通常放送であり、１０２チャンネルは早送り可能な放送であるとすると、まず、上記図７（ａ）に示すＥＰＧ画面の一例では、早送り可能な１０２チャンネルについて、同図に示すように“米印：※”を付加する。
【００８１】
また、例えば、１つの１０２チャンネルの中に早送り可能な番組と通常の番組が混在している場合、上記図７（ｂ）に示すように、１０２チャンネルの中で、早送り可能な番組「Ｆ１グランプリ第５戦」に対して、同図に示すように“米印：※”を付加する。
【００８２】
尚、上記図７（ａ）及び（ｂ）に示したような、早送り可能なチャンネル若しくは番組を識別するための印（“米印：※”等）については、ユーザ（視聴者）は、この印が早送り可能なチャンネル若しくは番組を示す印であることを認識しているものとする。
また、ＥＰＧ画面上に対して、早送り可能なチャンネル若しくは番組を識別するための印（“米印：※”等）を表示する構成に限られることはなく、例えば、専用のアイコン画像を表示する、或いはビープ音等を出力する構成により、早送り可能なチャンネル若しくは番組をユーザ（視聴者）に対して提示するようにしてもよい。例えば、上記図７（a）の例では、１０２チャンネルが早送り可能な専用チャンネルとなるため、全ての番組が早送り可能な番組として放送される。
【００８３】
上述した本実施の形態によれば、例えば、図８（ａ）及び（ｂ）に示すように、２時間の番組を最初から最後まで４倍で早送りして３０分で観終えたり、或いは同図（ｃ）に示すように、２時間の番組の最初の１０分と最後の１０分を通常の速度で再生し、その間の１００分を４倍で２５分で観終えたり、或いは同図（ｅ）に示すように、１００分を１０倍で１０分で観終えることも可能となる。
具体的には例えば、夜中の１２時から１時まで放送される番組を、１２時１５分までに、早送りしながら観終えることができる。
【００８４】
[第２の実施の形態]
第１の実施の形態では、送信装置２００において、ＰＳＩに対して、特定のチャンネル若しくは番組が早送り可能である情報を反映させる構成とした。
これに対して本実施の形態では、送信装置２００においてＰＳＩには手を加えず、受信装置３００のデマルチプレクサ処理部３０４において、ユーザ（視聴者）が視聴選択したチャンネル若しくは番組のデータが送信装置２００から送信されてくる速度により、ユーザ（視聴者）が視聴選択したチャンネル若しくは番組が高速に伝送されてきたことを判別する。
【００８５】
尚、ここでは説明の簡単のため、第１の実施の形態と異なる構成及び動作についてのみ、具体的に説明する。
【００８６】
＜送信装置２００の構成及び動作＞
送信装置２００は、特定のチャンネル若しくは番組のテレビジョン放送データを、符号化時のビットレートよりも広帯域のスロットを割り当てて高速に送信する。
【００８７】
尚、送信装置２００において、符号化処理部２０１、データグループ化処理部２９２、パケット化処理部２０３、マルチプレクサ処理部２０５、エラー訂正符号挿入処理部２０６、変調処理部２０７、及びアンテナ２０８の構成及び動作については、第１の実施の形態と同様であるため、その詳細な説明は省略する。
【００８８】
ＰＳＩパケット生成処理部２０４は、第１の実施の形態とは異なり、通常のチャンネル若しくは番組と同様のＰＳＩを生成してＴＳパケット化する。
マルチプレクサ処理部２０５は、ＰＳＩパケット生成処理部２０４で得られた上記のＴＳと、パケット化処理部２０３で得られたＴＳとを多重化する。
【００８９】
＜受信装置３００の構成及び動作＞
受信装置３００は、送信装置２００から送信されてきたテレビジョン放送データを受信し、デマルチプレクサ処理部３０４により、ユーザ（視聴者）が視聴選択したチャンネル若しくは番組のデータが送信されてくる速度から、当該データが高速に送信されてきたことを認識した場合、ユーザ（視聴者）に対して、当該チャンネル若しくは番組が早送り可能であることを知らしめる共に、当該チャンネル若しくは番組のデータを、ランダムアクセス可能な記憶部３０６に格納しながら高速に再生する。
【００９０】
尚、受信装置３００において、通常放送のチャンネル若しくは番組のデータの受信時の場合、当該データは、記憶部３０６には記憶せずに、バッファ３０５に一旦蓄積し、直ちに符号化して出力する。
【００９１】
したがって、本実施の形態においても、ユーザ（視聴者）に対して、当該チャンネル或いは番組が早送り可能であることを知らしめる情報を、例えば、画面上に表示することで、ユーザ（視聴者）は、当該チャンネル或いは番組を早送り再生しながら視聴することが可能となる。
また、当該チャンネル或いは番組のデータを、一旦ランダムアクセス可能な記憶部３０６に記憶するため、ユーザは、これを早送りしながら視聴した後に、再度通常の速度で再生して視聴することも可能となる。
【００９２】
以下、本実施の形態における受信装置３００について具体的に説明する。
尚、受信装置３００において、アンテナ３０１、復調処理部３０２、及びエラー訂正処理部３０３については、第１の実施の形態における構成及び動作と同様であるため、ここではその詳細な説明を省略する。
【００９３】
まず、デマルチプレクサ処理部３０４は、ビデオ、オーディオ、及びＰＳＩ等が多重化されたＴＳのデマルチプレックスを行うと共に、ユーザ（視聴者）から選択されたチャンネル若しくは番組が早送り可能であるか否かについての判定を行い、この判定結果に基づいて、当該チャンネル若しくは番組の出力先を、記憶部３０６とバッファ３０５で切り替える。
【００９４】
ここで、各種のＰＳＩセクションは、デマルチプレクサ処理部３０４によりフィルタリングされ、ＥＰＧを構成するために必要な情報が取得され、制御処理部３０９に対して出力される。
【００９５】
上述のデマルチプレクサ処理部３０４により、通常の放送のチャンネル若しくは番組のデータの場合、当該データ（ビデオデータ、オーディオデータ）は、バッファ３０５に対して出力され、直ちに復号化処理部３０７により復号されて出力される。
【００９６】
一方、本実施の形態にかかる早送り可能なチャンネル或いは番組のデータの場合、当該データ（ビデオデータ、オーディオデータ）は、ランダムアクセス可能な記憶部３０６に対して出力され保存される。
この場合、復号化処理部３０７は、制御処理部３０９からの制御に従って、記憶部３０６に保存されたデータを該当するスピードで読み出して復号する。
【００９７】
復号化処理部３０７で実行される復号処理には、通常のスピードで実行される復号処理と、早送りのために復号対象のデータを間引きながら実行する復号処理とがある。復号対象のデータを間引きながら実行する復号処理の方法については、第１の実施の形態で説明した通りである。
【００９８】
ここで、デマルチプレクサ処理部３０４で実行される、ユーザ（視聴者）が選択したチャンネル若しくは番組が早送り可能であるか否かの判定処理方法の一例について説明する。
【００９９】
例えば、上記図２（ｅ）に示したＴＳヘッダには、各フレームの先頭毎に、アダプテーションフィールド３４が存在し、このアダプテーションフィールド３４付きのＴＳヘッダが入力する頻度、すなわち各フレームの境界が発生するタイミングが速い場合、このチャンネル若しくは番組のデータが通常よりも高速に送信されてきたと判断することができる。
すなわち、デマルチプレクサ処理部３０４は、処理対象のＴＳにおいて、アダプテーションフィールド３４付きのＴＳヘッダを検出し、この検出結果（フレームの切れ目が発生する周期）により、ユーザ（視聴者）が選択したチャンネル若しくは番組が早送り再生可能であるか否かの判定を行う。
【０１００】
尚、ＴＳを構成するチャンネル或いは番組のデータが、ＨＤ或いはＳＤの何れの解像度によるデータであっても、それぞれの送信帯域（スロット数）が調整されるため、画像によっては圧縮された符号が可変長であることを考慮しても、各フレームの境界が来るタイミングに（Ｎ倍というオーダーで）差異は無い。
【０１０１】
具体的には例えば、図９（ａ）は通常のＴＳを示したものであり、同図（ｂ）は本実施の形態に係る高速送信されたＴＳを示したものである。
【０１０２】
まず、上記図９（ａ）に示すように、通常のＴＳにおいて、ＴＳヘッダ３５がアダプテーションフィールド付きのヘッダである場合、これに続くペイロード３６の後には、アダプテーションフィールドの無いＴＳヘッダ３７が続き、次フレームの先頭のＴＳヘッダ３８まで、アダプテーションフィールドの存在するＴＳヘッダは無い。
【０１０３】
一方、上記図９（ｂ）に示すように、本実施の形態に係る高速送信されたＴＳでは、短い周期で次のアダプテーションフィールドの存在するＴＳヘッダ３９が到着（入力）することになる。
例えば、４倍の速さ（帯域）でＴＳが送信された場合、アダプテーションフィールド付きのＴＳヘッダの到着周期も４倍になるため、容易に、高速送信されたＴＳであることを判定できる。
【０１０４】
また、他の判定方法としては、例えば、ＴＳをＰＥＳに変換した後、１フレームを構成単位長とするＰＥＳヘッダの到着速度（頻度）を検出し、この検出結果から、高速送信されたＴＳであることを判定する方法も挙げられる。
【０１０５】
制御処理部３０９は、ユーザ（視聴者）からリモコン３０８を介してＥＰＧ表示要求を受けた場合、デマルチプレクサ処理部３０４から取得したＰＳＩ情報に基づいて、ＥＰＧ画面を構成し、このＥＰＧ画面と、復号化処理部３０７で得られたビデオ信号に従った画面とを切り替えて、表示部３１０で表示する。
ＥＰＧ画面の構成の際、制御処理部３０９は、上述したデマルチプレクサ処理部３０４による早送り再生可能なチャンネル若しくは番組の判定結果により、早送り再生可能なチャンネル若しくは番組の場合、第１の実施の形態と同様にして、通常番組と視聴者が区別できるようなＥＰＧ画面を構成する。
【０１０６】
また、制御処理部３０９は、視聴者からチャンネル若しくは番組の選択要求を受けた場合、当該チャンネルを受信するために必要な情報（チャンネル周波数、ＴＳ_ＩＤ、ビデオのＰＩＤ、及びオーディオのＰＩＤ等の情報）を、チューナー部（不図示）に供給する。
【０１０７】
また、制御処理部３０９は、ユーザから選択されたチャンネル若しくは番組が、通常速度で再生するチャンネル若しくは番組であるか、或いは早送り再生可能なチャンネル若しくは番組であるかの判別結果に基づいて、上述したデマルチプレクサ処理部３０４を制御することで、ビデオデータ及びオーディオデータをバッファ３０５又は記憶部３０６に対して出力させ、さらに、復号化処理部３０７を制御することで、上述したような復号処理を実行せしめる。
【０１０８】
すなわち、制御処理部３０９は、視聴者が早送り再生可能なチャンネル若しくは番組を選択した場合、例えば、視聴者が早送り要求をするまでは通常速度で復号して出力し、早送り要求を受け付けると、第１の実施の形態で述べたような方法でデータを間引きながら復号して出力せしめる。
【０１０９】
尚、本発明の目的は、第１及び第２の実施の形態のホスト及び端末の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成されることは言うまでもない。
この場合、記憶媒体から読み出されたプログラムコード自体が第１及び第２の実施の形態の機能を実現することとなり、そのプログラムコードを記憶した記憶媒体及び当該プログラムコードは本発明を構成することとなる。
プログラムコードを供給するための記憶媒体としては、ＲＯＭ、フレキシブルディスク、ハードディスク、光ディスク、光磁気ディスク、ＣＤ−ＲＯＭ、ＣＤ−Ｒ、磁気テープ、不揮発性のメモリカード等を用いることができる。
また、コンピュータが読みだしたプログラムコードを実行することにより、第１及び第２の実施の形態の機能が実現されるだけでなく、そのプログラムコードの指示に基づき、コンピュータ上で稼動しているＯＳ等が実際の処理の一部又は全部を行い、その処理によって第１及び第２の実施の形態の機能が実現される場合も含まれることは言うまでもない。
さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって第１及び第２の実施の形態の機能が実現される場合も含まれることは言うまでもない。
【０１１０】
図１０は、上記コンピュータの機能６００を示したものである。
コンピュータ機能６００は、上記図１０に示すように、ＣＰＵ６０１と、ＲＯＭ６０２と、ＲＡＭ６０３と、キーボード（ＫＢ）６０９のキーボードコントローラ（ＫＢＣ）６０５と、表示部としてのＣＲＴディスプレイ（ＣＲＴ）６１０のＣＲＴコントローラ（ＣＲＴＣ）６０６と、ハードディスク（ＨＤ）６１１及びフレキシブルディスク（ＦＤ）６１２のディスクコントローラ（ＤＫＣ）６０７と、ネットワーク６２０との接続のためのネットワークインターフェースコントローラ（ＮＩＣ）６０８とが、システムバス６０４を介して互いに通信可能に接続された構成としている。
【０１１１】
ＣＰＵ６０１は、ＲＯＭ６０２或いはＨＤ６１１に記憶されたソフトウェア、或いはＦＤ６１２より供給されるソフトウェアを実行することで、システムバス６０４に接続された各構成部を総括的に制御する。
すなわち、ＣＰＵ６０１は、所定の処理シーケンスに従った処理プログラムを、ＲＯＭ６０２、或いはＨＤ６１１、或いはＦＤ６１２から読み出して実行することで、第１及び第２の実施の形態での動作を実現するための制御を行う。
【０１１２】
ＲＡＭ６０３は、ＣＰＵ６０１の主メモリ或いはワークエリア等として機能する。
ＫＢＣ６０５は、ＫＢ６０９や図示していないポインティングデバイス等からの指示入力を制御する。
ＣＲＴＣ６０６は、ＣＲＴ６１０の表示を制御する。
ＤＫＣ６０７は、ブートプログラム、種々のアプリケーション、編集ファイル、ユーザファイル、ネットワーク管理プログラム、及び第１及び第２の実施の形態における所定の処理プログラム等を記憶するＨＤ６１１及びＦＤ６１２とのアクセスを制御する。
ＮＩＣ６０８は、ネットワーク６２０上の装置或いはシステムと双方向にデータをやりとりする。
【０１１３】
【発明の効果】
以上説明したように本発明によれば、通常の速度で送信されたテレビジョン放送データと、当該通常の速度よりも高速で送信されたテレビジョン放送データとを、可及的に適切に処理することができる。
【図面の簡単な説明】
【図１】第１の実施の形態において、本発明を適用したテレビジョン放送送受信システムの構成を示すブロック図である。
【図２】上記テレビジョン放送送受信システムにおいて、テレビジョン放送信号のパケット化について説明するための図である。
【図３】上記テレビジョン放送送受信システムの送信装置で生成されるＰＳＩについて説明するための図である。
【図４】上記ＰＳＩで規定されているＮＩＴについて説明するための図である。
【図５】上記ＮＩＴのサービスリストディスクリプタについて説明するための図である。
【図６】上記ＮＩＴのサービスタイプについて説明するための図である。
【図７】上記テレビジョン放送送受信システムの受信装置で表示されるＥＰＧ画面の一例について説明するための図である。
【図８】上記受信装置で可能となる視聴方法の一例について説明するための図である。
【図９】第２の実施の形態の上記受信装置において、早送り可能なチャンネル或いは番組の判定方法について説明するための図である。
【図１０】上記テレビジョン放送送受信システムの機能をコンピュータに実現させるためのプログラムをコンピュータ読出可能な記憶媒体から読み出して実行する当該コンピュータの構成を示すブロック図である。
【符号の説明】
１００  テレビジョン放送送受信システム
２００  送信装置
２０１  符号化処理部
２０２  データグループ化処理部
２０３  パケット化処理部
２０４  ＰＳＩパケット生成処理部
２０５  マルチプレクサ処理部
２０６  エラー訂正符合挿入処理部
２０７  変調処理部
２０８  アンテナ
３００  受信装置
３０１  アンテナ
３０２  復調処理部
３０３  エラー訂正処理部
３０４  デマルチプレクサ処理部
３０５  バッファ
３０６  記憶部
３０７  復号化処理部
３０８  リモートコントローラ（リモコン）
３０９  制御処理部
３１０  表示部
【図１】
0004366038.tif 000002
【図２】
0004366038.tif 000003
【図３】
0004366038.tif 000004
【図４】
0004366038.tif 000005
【図５】
0004366038.tif 000006
【図６】
0004366038.tif 000007
【図７】
0004366038.tif 000008
【図８】
0004366038.tif 000009
【図９】
0004366038.tif 000010
【図１０】
0004366038.tif 000011